(57)【要約】【課題】  音出し装置と飾りリボンを１つのユニットに組み合わせて、多様な応援ができるようにした応援用バトンを提供する。【解決手段】  中空のバトン本体１０を有する応援用バトンの一端部の外側縁の２箇所に対称に１組の係合溝１２が形成されており、前記係合溝１２にはそれぞれ、締め付け用ループと巻き付け用ストラップから構成される保持部材４０を通すための据付用孔１３，１４が形成されており、これにより、前記バトン本体１０の一端部に飾りリボンセット３０を固着し、他端部には内側ねじ部が形成され、音出し装置２０を装着できるようになっていて、飾りリボンセット３０と音出し装置２０１つのユニットに一体的に組み付け、バトン本体１０を振って、リボンを人目をひくように振ったり揺らしたり、パチパチ音を出したりする構成とした。【選択図】    図１
0003112045.tif 000002
【実用新案登録請求の範囲】
【請求項１】
中空のバトン本体を有する応援用バトンであって、
前記バトン本体は、その一端部の外側縁の２箇所に対称に１組の係合溝が形成されており、前記係合溝にはそれぞれ、締め付け用ループと巻き付け用ストラップから構成される保持部材を通すための据付用孔が形成されており、これにより、前記バトン本体の一端部に飾りリボンのボンボンセットを固着し、該ボンボンセットをバトン本体と１つのユニットに一体的に組み付け、ボンボンセットを人目をひくように振ったり揺らしたりして、応援する行事の士気を高め、応援効果を盛り立てることができるようにしたことを特徴とする応援用バトン。
【請求項２】
前記応援用バトンは弾性を有するプラスチック材料製であることを特徴とする請求項１記載の応援用バトン。
【請求項３】
前記バトン本体の一端部の外側縁に対称に形成された係合溝には、それぞれ、第１および第２の据付用孔が形成されており、保持部材をこれら孔に通して巻き回し、これによって飾りリボンのボンボンセットを固着するようにしたことを特徴とする請求項１記載の応援用バトン。
【請求項４】
前記保持部材の締め付けループには逆方向係止用プレートが配置され、該保持部材の巻き付け用ストラップにはその裏面にバックル部が形成されていて、バックル部が係止用プレートに引っ掛けられるようになることを特徴とする請求項１記載の応援用バトン。
【請求項５】
前記バトン本体は、その他端部に、鳴り物およびマウスピースから鳴る音出し装置を備えることを特徴とする請求項１記載の応援用バトン。
【請求項６】
前記バトン本体の他端部には内側壁面を限定する内側ねじ部を有する連結部が配置されていることを特徴とする請求項５記載の応援用バトン。
【請求項７】
前記音出し装置の鳴り物はその一端部に振動舌片部材を有し、他端部には第１および第２外ねじ接続部が伸長し、前記第１及び第２の接続部の中間にこれらよりも大径の位置決め係止用リングが突出していることを特徴とする請求項５記載の応援用バトン。
【請求項８】
前記音出し装置のマウスピースには内側ねじ接続端部が配置されていて、これにより前記鳴り物と相互に係合されるようになることを特徴とする請求項５記載の応援用バトン。
【請求項９】
前記音出し装置は中に丸い部分の付いたホイッスル型の鳴り物から成ることを特徴とする請求項５記載の応援用バトン。
【請求項１０】
前記音出し装置には、鳴り物の一側に伸長する位置決め係止リングの付いた接続端部があり、これによりバトン本体の連結部と係合されるようになることを特徴とする請求項９記載の応援用バトン。
【考案の詳細な説明】
【技術分野】
【０００１】
本考案は、応援用のバトンに関し、更に具体的に言うと、音出し装置と、飾りリボンを束ねて作った所謂ボンボンとを、両者１つのユニットに組み合わせて、多様な応援ができるようにした応援用バトン構造に関する。
【背景技術】
【０００２】
応援する場合には、その場の気分を盛り上げたり、あるいは競技場の選手を応援して大声を出したり身振り手振りで士気を高めたりする以外にも、色々な応援用グッズが用いられる。
中でも最もポピュラーなものがプラスティック製のメガホンで、このようなメガホンは、通常は、単に大声を出して応援するためだけに用いられる。従って、従来のメガホンはその使い道が非常に限られている。
【考案の開示】
【考案が解決しようとする課題】
【０００３】
本考案は上記のような問題点を解消し、応援用のパチパチパチというような拍手音を出すバトン構造を提供するのが目的で、この構造は中空のバトンを含み、音出し装置のほかにも、ボンボンセットを装着して、これらを１つのユニットにまとめて一体に組み込んであるので、使用者の好みや使用場所（例えば、陸上競技場とかコンサート会場など）に合わせて、バトン本体を振って音出し装置をパチパチならして、種々の応援用のサウンドやリズムを出したり、人目を引くようにボンボンセットを振りかざしたりゆらゆら揺らしたりして、行事の場を盛り上げるように、バトン構造の様々な応用方法を提供するものである。
【０００４】
本考案の第２の目的は、音出し装置を組み合わせたパチパチという拍手音の出るバトン構造と飾りリボンを束ねて作った所謂ボンボンセットとを１つのユニットにまとめたことで、さまざまな所で使用するために持ち運びが簡単にできるようにした、応援用バトン構造を提供することである。
【０００５】
更にまた、本考案の第３の目的とするところは、飾りリボンを房状に束ね二つ折りにしたボンボンの根元部分をバトンの内側に押し隠して固着し、これによりバトンの外観を小奇麗に保持するように提供することである。
【課題を解決するための手段】
【０００６】
この考案の請求項１に係る応援用バトンは、中空のバトン本体を有する応援用バトンであって、前記バトン本体は、その一端部の外側縁の２箇所に対称に１組の係合溝が形成されており、前記係合溝にはそれぞれ、締め付け用ループと巻き付け用ストラップから構成される保持部材を通すための据付用孔が形成されており、これにより、前記バトン本体の一端部に飾りリボンのボンボンセットを固着し、ボンボンセットをバトン本体と１つのユニットに一体的に組み付け、ボンボンセットを人目をひくように振ったり揺らしたりして、応援する行事の士気を高め、応援効果を盛り立てることができるようにしたことを特徴とする。
【０００７】
請求項２の考案は、請求項１記載の応援用バトンにおいて、前記応援用バトンは弾性を有するプラスチック材料製であることを特徴とする。
請求項３の考案は、請求項１記載の応援用バトンにおいて、前記バトン本体の一端部の外側縁に対称に形成された係合溝には、それぞれ、第１および第２の据付用孔が形成されており、保持部材をこれら孔に通して巻き回し、これによってボンボンセットを固着するようにしたことを特徴とする。
請求項４の考案は、請求項１記載の応援用バトンにおいて、前記保持部材の締め付けループには逆方向係止用プレートが配置され、該保持部材の巻き付け用ストラップにはその裏面にバックル部が形成されていて、バックル部が係止用プレートに引っ掛けられるようになることを特徴とする。
【０００８】
請求項５の考案は、請求項１記載の応援用バトンにおいて、  前記バトン本体は、その他端部に、鳴り物およびマウスピースから鳴る音出し装置を備えることを特徴とする。
請求項６の考案は、請求項５記載の応援用バトンにおいて、前記バトン本体の他端部には内側壁面を限定する内側ねじ部を有する連結部が配置されていることを特徴とする。
請求項７の考案は、請求項５記載の応援用バトンにおいて、前記音出し装置の鳴り物はその一端部に振動舌片部材を有し、他端部には第１および第２外ねじ接続部が伸長し、前記第１及び第２の接続部の中間にこれらよりも大径の位置決め係止用リングが突出していることを特徴とする。
請求項８の考案は、請求項５記載の応援用バトンにおいて、前記音出し装置のマウスピースには内側ねじ接続端部が配置されていて、これにより前記鳴り物と相互に係合されるようになることを特徴とする。
【０００９】
請求項９の考案は、請求項５記載の応援用バトンにおいて、前記音出し装置は中に丸い部分の付いたホイッスル型の鳴り物から成ることを特徴とする。
請求項１０の考案は、請求項９記載の応援用バトンにおいて、前記音出し装置には、鳴り物の一側に伸長する位置決め係止リングの付いた接続端部があり、これによりバトン本体の連結部と係合されるようになることを特徴とする。
【考案を実施するための最良の形態】
【００１０】
以下、添付図面を参照して本考案の好適な実施の形態を詳細に説明する。
図１は本願考案の応援用バトンの第１実施例を示す分解斜視図、図２は音出し装置を組み合わせた応援用バトンの第１実施例の断面図、図３は保持部材によってボンボンセットがバトン本体に固着され組み付けられた部分の第１実施例の断面図、図４は本考案の応援用バトンの組立て完成状態の斜視図、図５は別のタイプの音出し装置を使用した応援用バトンの第２実施例の分解斜視図、図６は図５のホイッスル型の音出し装置をバトン本体に組み付けた状態の部分断面図である。
【実施例１】
【００１１】
図１を参照する。本願考案の応援用バトンは、拍手音用バトン本体１０、音出し装置２０、ボンボンセット３０、保持部材４０から構成される。
バトン本体１０は弾性を有するプラスチック製で構成され、中空円錐形管の形状をなし、一端の開口部には内側にねじ山のついた内側壁を限定する接続部１１が配置され、他端部の外側縁の２箇所の対称位置に係合溝１２が形成されており、各係合溝１２には第１および第２の据付け用孔１３，１４がそれぞれ形成されている。
【００１２】
前記音出し装置２０は、内部に設置される振動舌片部材２１１を有する鳴り物２１と、マウスピース２２とで構成されている。
鳴り物２１はその一側に振動舌片部材２１１が配置されてあって、他側には、外ねじのついた第１および第２の接続部２１２，２１３が隣接して配置され、これら第１および第２の接続部２１２，２１３の中間には、これら部分より大径になる位置決め係止リング２１４が配置されている。
マウスピース２２にはその一端部内部にねじ山のついた接続端部２２１が形成されており、これにより、鳴り物２１と相互にねじ係合されるようになる。
【００１３】
保持手段４０は、係止用プレート４１１が配置された引き締め固定用ループ４１と、該引き締め固定用ループ４１の反対側端部まで伸長する巻き付けストラップ４２から構成されている。巻き付けストラップ４２にはその裏側表面にバックル部４２１があり、これをループ４１の逆方向係止プレート４１１に引っ掛けて留めるようにすることで、ボンボンセットを取り外し可能に組み付けることができるようになっている。
【００１４】
次に、図２および図３を参照して説明する。
鳴り物２１の第１接続部２１２はバトン本体１０の連結部１１と相互にねじ係合され、マウスピース２２の接続端部２２１は鳴り物２１の第２接続部２１３と組み合わせて固着される。このようにして、バトン本体１０の開口端部とマウスピース２２の開口端部が相互に正確に係止リング２１４の両端部にそれぞれ隣接するようになり、バトン本体１０の円錐形湾曲に従ってスムーズな連続的アーチとして延びてマウスピース２２とバトン本体１０が結合される。
【００１５】
図３を参照すると、保持部材４０の巻き付けストラップ４２が一方の係合溝１２の第１据付用孔１３を通して内側へ挿入し、第１の据付用孔１３に隣接した第２据付用孔１４まで内側を通してゆき、第２据付孔１４を通してバトン本体１０の内部を巻き渡して、他方の側の係合溝１２の第２据付用孔１４に通してから、またこの他方側の第１据付用孔１３まで通し、この孔１３から内側へ出してストラップを巻き通す。
【００１６】
このようにして、保持部材４０の引き締め固定用ループ４１と巻き付けストラップ４２は、バトン本体１０の内側壁面を通ってゆき、反対側まで延びて、反対側の対称的な係合溝に係合して、対称的に位置付けられるようになる。このように位置付けられる引き締め固定用ループ４１および巻き付けストラップ４２は、ボンボンセット３０の中心部の周囲に両側から巻きつけ保持するのに用いられる。
【００１７】
まず、飾りリボンを束ねて二つ折にして房のようにしたボンボン３０の折畳まれた根元部分をバトン本体１０の中に入れて隠してから、中に入れられたボンボンのリボンの量に従ってストラップ４２を移動させて係止位置を調節し、適切な位置でバックル部４２１をループ４１の逆方向係止プレート４１１に噛ませ、二つ折りにして房のようにしたボンボンセットをしっかりと留める。巻き付け用ストラップ４２の外側に露出された部分は、係合溝１２に位置付けられるようになるので、バトン本体の外観の見栄えもよくなり、図４に示すように、ボンボンセット３０と音出し装置２０を１つのユニットに組み込んだ多機能式の応援用バトンが提供される。
【００１８】
本考案の応援用バトンを応援のために使用するに当たり、使用者は自分の好みや使用場所（陸上競技場やコンサート）に応じてバトン本体１０を振ると、マウスピース２２を被せられた鳴り物２１がパチパチと鳴り、様々な応援用のサウンドやリズムを打ち出すことができる。
更にまた、ボンボンセット３０もバトン本体１０に装着して、人目を引くように、ひらひら振ったり揺らしたりして、行事の気分を高揚させることができ、これにより応援用バトンの更なる多様な用い方をすることができ、多種にわたる応援効果を達成することができる。
更にまた、音出し装置２０とボンボンセット３０が１つのユニットになってバトン本体１０に組み込まれているので、種々の使い方をするのに簡便に持ち運びすることができる。
【実施例２】
【００１９】
図５は本考案の別のタイプの音出し装置を使用している第２実施例を示す。ここでは、音出し装置２０’は、丸い胴部２１１’の付いたホイッスル型の鳴り物２１’からなり、位置決め係止リング２１２’の付いた接続端部２１３’が鳴り物２１’の一端部に伸長し、該接続端部２１３’にはねじが付けられていて、バトン本体１０の連結部１１と相互に噛み合うようになっている。
【００２０】
図６は第２実施例のタイプの音出し装置の断面図である。このホイッスル型音出し装置をバトン本体と連結させ、ホイッスルを吹くことで、さらに異なるサウンドが付加され、更に一層多様な応援効果を達成することができる。
【００２１】
以上のように、本考案の好適な実施例を説明したが、本考案は、上記実施例に限定されることなく、実用新案登録請求の範囲を逸脱しない範囲における各種の変形，改良は本考案の請求範囲に包含されることは言うまでもない。
【図面の簡単な説明】
【００２２】
【図１】本願考案の応援用バトンの第１実施例を示す分解斜視図。
【図２】図１の音出し装置を組み合わせた応援用バトンの断面図。
【図３】図１の保持部材によって固着され組み付けられた状態の飾りリボンのボンボンセットの部分の断面図。
【図４】図１の応援用バトンの組立て完成状態の斜視図。
【図５】本考案の応援用バトン第２実施例の分解斜視図。
【図６】図５のホイッスル型音出し装置をバトン本体に組み付けた状態の部分断面図。
【符号の説明】
【００２３】
１０    応援用拍手音バトン本体
１１    バトン本体の接続部
１２    係合溝
１３    第１据付け用孔
１４    第２据付け用孔
２０    音出し装置
２１    鳴り物
２２    マウスピース
３０    飾りリボンのボンボンセット
４０    保持部材
４１    引き締め固定用ループ
４１１  逆方向係止プレート
４２    巻き付けストラップ
４２１  バックル部
【図１】
0003112045.tif 000003
【図２】
0003112045.tif 000004
【図３】
0003112045.tif 000005
【図４】
0003112045.tif 000006
【図５】
0003112045.tif 000007
【図６】
0003112045.tif 000008